(57)【要約】      （修正有）【課題】既設の蛇口より遠く離れた場所に水道口栓柱を容易に新設できる移動式水道口栓柱を提供する。【解決手段】移動可能な基台１１上に立て配管１４を立設し、基台１１に、前記立て配管１４の下部側に接続したホース接続部１５ａを設け、前記立て配管１４の上部側に上部蛇口１９を接続して設け、前記立て配管１４の外周に外筒１６を設け、該外筒１６にホース保持部材を設けた。【選択図】図３
0003211249.tif 000002
【実用新案登録請求の範囲】
【請求項１】
移動可能な基台上に立て配管を立設し、基台に、前記立て配管の下部側に接続したホース接続部を設け、前記立て配管の上部側に上部蛇口を接続して設け、前記立て配管の外周に外筒を設け、該外筒にホース保持部材を設けたことを特徴とする移動式水道口栓柱。
【請求項２】
前記基台の上面又は前記外筒側に取っ手を設けたことを特徴とする請求項１記載の移動式水道口栓柱。
【考案の詳細な説明】
【技術分野】
【０００１】
本考案は、移動式水道口栓柱に関するもので、例えば、該移動式水道口栓柱を家屋内の台所の水道蛇口や、家屋外に設置された水道栓の蛇口、更には、雨水貯留タンクの蛇口等の既設の蛇口にホースで接続し、既設の蛇口から離れた所望の場所に移動可能に設置して、その場所で、通常の水道栓と同じように蛇口より水を出して使用できるようにするものである。
【背景技術】
【０００２】
従来、家屋の屋根から流れた雨水は、一般に雨樋に収集されて下水管へ排出される。
【０００３】
近年、集中豪雨による浸水被害の防止、災害時用の飲料水の確保、家庭菜園用の水等として雨水を収集して雨水貯留タンクに貯水し、その雨水を利用することが行われている。
【０００４】
このような雨水の貯留装置として、従来、例えば図５に示すように、家屋１０１の屋根１０２に降った雨水を軒樋１０３と立て樋１０４で収集し、この立て樋１０４の途中に雨水分流部１０５を設けて立て樋１０４を落下する雨水の一部を雨水分流部１０５からホース１０６によって雨水貯留タンク１０７へ分流して溜めるようにしたものがある。
【０００５】
そして、雨水貯留タンク１０７に溜まった雨水を、雨水貯留タンク１０７に設けた蛇口１０８から取り出すようになっている。
【考案の概要】
【考案が解決しようとする課題】
【０００６】
前記のように雨水貯留タンク１０７は、通常、家屋に近接して設置されたり、菜園では栽培地の隅部に設置される。
【０００７】
そのため、雨水貯留タンク１０７より遠く離れた場所で雨水を使用することがあり、この場合には、前記の蛇口１０８からバケツ１０９に雨水を取り出して運ぶ必要があるため、多量の雨水を使用する場合には、何回も往復して水を運ぶことになり、多くの労力が必要となる問題がある。
【０００８】
また、家屋の内、外に設置された水道蛇口から遠く離れた場所で、水道口栓を設置したい場合に、水道管を埋設して配管することは配管工事に手間を要するとともに工事費が高くなる問題がある。
【０００９】
そこで、本考案は、前記の問題点を解決する移動式水道口栓柱を提供することを目的とするものである。
【課題を解決するための手段】
【００１０】
前記の課題を解決するために、請求項１記載の考案は、移動可能な基台上に立て配管を立設し、基台に、前記立て配管の下部側に接続したホース接続部を設け、前記立て配管の上部側に上部蛇口を接続して設け、前記立て配管の外周に外筒を設け、該外筒にホース保持部材を設けたことを特徴とするものである。
【００１１】
請求項２記載の考案は、請求項１記載の考案において、前記基台の上面又は前記外筒側に取っ手を設けたことを特徴とするものである。
【考案の効果】
【００１２】
本考案によれば、既設の水道蛇口から離れた場所で多量に水を使用したい場合に、その場所へ移動式水道口栓柱を移動して設置するとともに、既設の蛇口にホースで接続することにより、前記従来のように、バケツで何回も往復して雨水を運ぶ場合に比べて、労力を軽減することができる。
【００１３】
更に、立て配管を立設してその上端部側に上部蛇口を設けたので、上部蛇口の下にバケツ等の容器を置いて容易に取水できる。更に、移動式であっても基台により安定して設置できる。更に、水道管の埋設工事も不要である。更に、ホース保持部材を設けたので、移動式水道口栓柱の移動や不使用時にホースを、ホース保持部材に保持でき至便である。
【図面の簡単な説明】
【００１４】
【図１】本考案の移動式水道口栓柱の使用状態を示す図。
【図２】本考案の実施例１の移動式水道口栓柱を示す斜視図。
【図３】図２の縦断面図。
【図４】本考案の実施例２の移動式水道口栓柱を示す斜視図。
【図５】従来の雨水の使用方式を示す図。
【考案を実施するための最良の形態】
【００１５】
本考案を実施するための形態を図１乃至図４に示す実施例に基づいて説明する。
【００１６】
［実施例１］
図１は本考案の移動式水道口栓柱の使用状態の一例を示すもので、雨水貯留タンクの雨水を使用する場合の実施例である。
【００１７】
この移動式水道口栓柱１は、雨水貯留タンク２にホース３により接続される。ホース３は、少なくとも２本に分割され、実施例では雨水貯留タンク２側の第１ホース３ａと、移動式水道口栓柱１側の第２ホース３ｂに２分割し、これらをホース接続部材３ｃで分離可能に接続している。
【００１８】
前記雨水貯留タンク２は、図１の実施例では、家屋３の屋根４上に降った雨水を、軒樋５、立て樋６で集水し、その雨水の一部を集水筒７を通じてホース８で雨水貯留タンク２へ集める方式のものである。
【００１９】
この方式の集水筒７としては、例えば、特開２０１０−２４２３７２号公報に記載されたものを使用することができるが、雨水貯留タンク２への集水方法は任意の方法を用いることができる。
【００２０】
雨水貯留タンク２の下部には給水蛇口（既設蛇口）２ａが設けられている。
【００２１】
次に、本考案の実施例１の移動式水道口栓柱１について詳述する。
【００２２】
基台１１は、地表に設置したり、他の場所へ人によって持ち運びできるように、かつ、地表に設置した場合に、移動式水道口栓柱１が容易に倒れないように、その大きさ、荷重が設定されており、例えば、図２，３において、前後方向の長さＬ１を約２０ｃｍ、左右方向の長さＬ２を４０ｃｍ、高さＬ３を約１０ｃｍとしたコンクリートブロックで形成されている。
【００２３】
前記基台１１のほぼ中央部の内部には、基台１１の上面１１ａ側と後面１１ｂ側が開口するＬ状の穴１２が形成され、該穴１２に、接続用のエルボ１３が設けられている。      
【００２４】
前記エルボ１３における基台１１の上面１１ａ側には、立て配管１４が接続されて立設されている。
【００２５】
エルボ１３における基台１１の後面１１ｂ側には、横配管１５が接続されている。該横配管１５は基台１１の後面１１ｂより外側へ突出し、その先部にホース接続部１５ａが形成されている。すなわち、立て配管１４の下端側はホース接続部１５ａに連通している。
【００２６】
立て配管１４の外周は外筒１６で被覆され、外筒１６の下端は基台１１に固定され、上端は蓋１７で閉塞されている。
【００２７】
基台１１の下面から外筒１６（蓋１７を含む）の上端までの高さＬ４は約４３ｃｍに設定されている。
【００２８】
立て配管１４の上端にはエルボ１８が接続され、該エルボ１８の他端には上部蛇口１９の基部１９ａが接続され、上部蛇口１９は、前記外筒１６を貫通して外筒１６の外に配置されている。すなわち、立て配管１４の上端側には上部蛇口１９が接続されている。
【００２９】
基台１１の上面１１ａ側には外筒１６の左右に位置して取っ手２０，２０が突設されている。前記外筒１６の外側には、ホース保持部材３０が固設されている。
【００３０】
次に、使用方法について説明する。
【００３１】
降雨時には雨水が集水筒７からホース８を通じて雨水貯留タンク２内に流入し、雨水貯留タンク２内には雨水が満水位Ｗ１まで貯まる。
【００３２】
この雨水貯留タンク２内の雨水を使用したい場合には、ホース接続部材３ｃで、第１ホース３ａと第２ホース３ｂを分離し、第２ホース３ｂが接続された状態において、移動式水道口栓柱１を、その取っ手２０を持って所望の場所、すなわち、水を使用したい場所へ持ち運び、その場所の地表へ基台１１を置く。持ち運び時には、第２ホース３ｂを図２に示すように、ホース保持部材３０に、図のように掛け保持させる。
【００３３】
そして、両ホース３ａ，３ｂをホース接続部材３ｃで接続し、給水蛇口２ａと移動式水道口栓柱１の上部蛇口１９を開口し、雨水をバケツ２１に入れたりして適宜に使用する。
【００３４】
また、別の場所で前記雨水を使用する場合には、移動式水道口栓柱１を、上記と同様に持ち運ぶとともに雨水を取り出して使用する。
【００３５】
以上のように、雨水貯留タンク２内の雨水を、雨水貯留タンク２から離れた場所で多量に使用したい場合に、その場所へ移動式水道口栓柱１を移動して設置することにより、前記従来のように、遠い場所へバケツで何回も往復して雨水を運ぶ場合に比べて、労力を軽減することができる。
【００３６】
更に、立て配管１４を立設してその上端に上部蛇口１９を設けたので、上部蛇口１９の下にバケツ等の容器を置いて容易に取水できる。更に、移動式であっても基台１１により安定して設置できる。更に、ホース保持部材３０を設けたので、移動式水道口栓柱１の移動時や不使用時にホース３ｂをホース保持部材３０に掛けることができ、至便である。
【００３７】
なお、前記実施例では、雨水貯留タンク２への貯水を、雨樋からの雨水を貯める方式に適用したが、本考案は、この方式に限るものではなく、他の方式で雨水を雨水貯留タンク２に貯水する方法にも適用できるものである。
【００３８】
また、前記実施例では、基台１１をコンクリートブロックで形成したが、この基台１１を、コンクリートブロック以外で、移動可能で、かつ、立て配管１４が使用時に倒れないような重量のあるもので形成してもよい。
【００３９】
［実施例２］
図４は、移動式水道口栓柱１の実施例２を示す。
【００４０】
前記実施例１の基台１１は、方形のコンクリートブロックで形成したが、本実施例２の移動式水道口栓柱１Ａは、その基台１１Ａを、略円筒状に形成したものである。この基台１１Ａは、略円筒状の樹脂ケース内に、前記実施例１と同様のエルボ１３と横配管１５を配置して、コンクリートを流し込んで形成されている。
【００４１】
また、前記実施例１と同様に、外筒１６を立設し、その中に立て配管１４を内蔵し、該配管１４の上部に上部蛇口１９を、前記と同様に設け、横配管１５のホース接続部材１５ａと前記上部蛇口１９が連通している。
【００４２】
また、外筒１６の上部に固設した蓋１７には取っ手２０Ａが固設されている。
【００４３】
前記外筒１６の外側には、前記と同様のホース保持部材３０が固設されている。
【００４４】
なお、該実施例２における基台１１Ａの底面から前記蓋までの高さは約４３ｃｍに設定されている。
【００４５】
本実施例２においても、前記実施例１と同様の作用、効果を発揮するとともに、本実施例２では、前記実施例１に比べて基台１１Ａが円筒状で外観が良くなるとともに、取っ手２０Ａが上部にあり、持ち運びが容易になる。
【００４６】
［実施例３］
前記実施例１，２は、雨水貯留タンクの雨水を使用する場合の例であるが、このような雨水の使用以外に、公営の水道水を使用する場合に、本考案の移動式水道口栓柱を用いてもよい。
【００４７】
すなわち、家屋内の既設の水道蛇口、例えば、台所の蛇口、或は家屋外の既設の水道蛇口から遠く離れた場所に移動式水道口栓柱を新たに設置したい場合に、その場所に本考案の移動式水道口栓柱１，１Ａを設置し、該移動式水道口栓柱１，１Ａのホース接続部材１５ａと前記既設の蛇口とをホース３で接続することにより、水道口栓柱を新設できる。
【００４８】
そのため、既設の水道蛇口部と新設する水道口栓柱管を、水道管を地中に埋設して配管するものに比べて、配管工事が不要で、安価、かつ、容易に新設できる。
【符号の説明】
【００４９】
１，１Ａ  移動式水道口栓柱
２  雨水貯留タンク
３  ホース
１１，１１Ａ  基台
１４  立て配管
１５ａ  ホース接続部
１６  外筒  １９  蛇口
２０，２０Ａ  取っ手
３０  ホース保持部材
【図１】
0003211249.tif 000003
【図２】
0003211249.tif 000004
【図３】
0003211249.tif 000005
【図４】
0003211249.tif 000006
【図５】
0003211249.tif 000007